(57)【要約】【課題】媒体の通過を検出する検出部のメンテナンス性を向上させる。【解決手段】原稿搬送装置１０は、媒体の一例としての原稿を搬送する原稿搬送路を構成する下側ユニット１０Ａと、当該下側ユニット１０Ａとの間で原稿搬送路を形成する閉状態と原稿搬送路を露呈させる開状態とを切り換え可能な上側ユニット１０Ｂとを備えている。上側ユニット１０Ｂは、閉状態において下側ユニット１０Ａと対向するとともに原稿搬送路を形成する、開閉可能な開閉体としてのカバー４２と、原稿搬送路において原稿を検出する、カバー４２を開くことにより着脱可能となる検出部としての揺動部材４５を備えている。【選択図】図８
2016164595.tif 000002
【特許請求の範囲】
【請求項１】
媒体を搬送する媒体搬送路を構成する第１ユニットと、
前記第１ユニットとの間で前記媒体搬送路を形成する閉状態と前記媒体搬送路を露呈させる開状態とを切り換え可能な第２ユニットと、を備え、
前記第２ユニットは、前記閉状態において前記第１ユニットと対向するとともに前記媒体搬送路を形成する、開閉可能な開閉体と、
前記媒体搬送路において媒体を検出する、前記開閉体を開くことにより着脱可能となる検出部と、を備える、
ことを特徴とする媒体搬送装置。
【請求項２】
請求項１に記載の媒体搬送装置において、前記検出部は、前記開閉体の内側から外側に突出する突出部を備えるとともに前記突出部が媒体と接して揺動する揺動部材で構成され、
前記揺動部材は、前記開閉体に対して揺動可能に設けられている、
ことを特徴とする媒体搬送装置。
【請求項３】
請求項２に記載の媒体搬送装置において、前記第２ユニットは、媒体に送り力を付与する送りローラー、及び前記送りローラーを支持する支持部材を備えて成るローラーユニットを備え、
前記送りローラーは、前記開閉体に形成された開口を介して前記媒体搬送路に露出し、
前記ローラーユニットは、前記開閉体を開くことにより着脱可能となる、
ことを特徴とする媒体搬送装置。
【請求項４】
請求項３に記載の媒体搬送装置において、前記開閉体を開いた状態において前記揺動部材は、前記ローラーユニットの着脱方向から外れた領域に位置する、
ことを特徴とする媒体搬送装置。
【請求項５】
請求項１から請求項４のいずれか一項に記載の媒体搬送装置において、前記第２ユニットは、前記第１ユニットの上部に位置するとともに前記第１ユニットに対して回動可能に設けられ、回動することにより前記開状態と前記閉状態とを切り換える、
ことを特徴とする媒体搬送装置。
【請求項６】
媒体の面を読み取る読み取り手段と、
媒体を搬送する、請求項１から請求項５のいずれか一項に記載の媒体搬送装置と、
を備えた画像読取装置。
【発明の詳細な説明】
【技術分野】
【０００１】
本発明は、媒体を搬送する媒体搬送装置、およびこれを備えた画像読取装置に関する。
【背景技術】
【０００２】
画像読取装置の一例であるスキャナには、原稿の自動送り装置（ＡＤＦ（Auto
Document Feeder）とも呼ばれる）が設けられ、複数枚の原稿の自動送りと読み込みとを行える様に構成される場合がある。その様な原稿自動送り装置の構成としては、特許文献１に示される様に原稿を載置する載置台（給紙トレイ）から原稿を送り出し、Ｕ字反転させた後に原稿を読み取り位置に搬送し、そして排出トレイに向けて排出する構成が採られたものがある。
【０００３】
このような原稿送り装置においては、通常、給紙トレイ上に載置された原稿がピックアップローラー（給送ローラー）によって送り出される様に構成されている。  
ピックアップローラーの近傍にはセンサレバー（検出部）が回動可能に設けられており、このセンサレバーにより、給紙トレイ上の原稿有無が検出される。
【先行技術文献】
【特許文献】
【０００４】
【特許文献１】特許平０９−０８６６８９号公報
【発明の概要】
【発明が解決しようとする課題】
【０００５】
上記の様なセンサレバーは、通常、原稿搬送路を形成する経路形成部材に開口を形成し、当該開口から原稿搬送路に対して突出するように設けられる。その為、センサレバーが破損した際には、原稿搬送路側ではなく反対側（上記特許文献１記載の画像読取装置にあっては、「上部開閉ガイド」の上側）から前記センサレバーにアクセスする必要がある。従って前記センサレバーへのアクセスに際しては、多くの構成部材を取り外す（分解する）必要があり、前記センサレバーのメンテナンス性の向上が求められていた。
【０００６】
そこで本発明は以上の様な状況に鑑み成されたものであり、その目的は、媒体の通過を検出する検出部のメンテナンス性を向上させることにある。
【課題を解決するための手段】
【０００７】
上記課題を解決する為の、本発明の第１の態様に係る媒体搬送装置は、媒体を搬送する媒体搬送路を構成する第１ユニットと、前記第１ユニットとの間で前記媒体搬送路を形成する閉状態と前記媒体搬送路を露呈させる開状態とを切り換え可能な第２ユニットと、を備え、前記第２ユニットは、前記閉状態において前記第１ユニットと対向するとともに前記媒体搬送路を形成する、開閉可能な開閉体と、前記媒体搬送路において媒体を検出する、前記開閉体を開くことにより着脱可能となる検出部とを備えることを特徴とする。
【０００８】
本態様によれば、媒体を搬送する媒体搬送路において媒体を検出する検出部は、前記第２ユニットにおいて前記媒体搬送路を形成する開閉体を開くことにより着脱可能となる為、前記検出部の着脱に際し、前記媒体搬送路側から前記検出部にアクセスすることができる。その上、前記第２ユニットにおいて前記媒体搬送路側に設けられた開閉体を開くことにより前記検出部にアクセスすることができる為、作業性容易に前記検出部にアクセスすることができ、前記検出部のメンテナンス性を向上させることができる。
【０００９】
本発明の第２の態様は、第１の態様において、前記検出部は、前記開閉体の内側から外側に突出する突出部を備えるとともに前記突出部が媒体と接して揺動する揺動部材で構成され、前記揺動部材は、前記開閉体に対して揺動可能に設けられていることを特徴とする。
【００１０】
本態様によれば、前記検出部は、前記開閉体の内側から外側に突出する突出部を備えるとともに前記突出部が媒体と接して揺動する揺動部材で構成され、前記揺動部材は、前記開閉体に対して揺動可能に設けられているので、前記開閉体を開くことにより、前記検出部が容易に露呈する。従ってより一層容易に前記検出部にアクセスすることができ、前記検出部のメンテナンス性を向上させることができる。
【００１１】
本発明の第３の態様は、第２の態様において、前記第２ユニットは、媒体に送り力を付与する送りローラー、及び前記送りローラーを支持する支持部材を備えて成るローラーユニットを備え、前記送りローラーは、前記開閉体に形成された開口を介して前記媒体搬送路に露出し、前記ローラーユニットは、前記開閉体を開くことにより着脱可能となることを特徴とする。
【００１２】
本態様によれば、前記ローラーユニットは、前記開閉体を開くことにより着脱可能となる為、前記揺動部材（検出部）に加えて、前記ローラーユニットをも容易に交換することができる。また、前記開閉体を開くことによって前記揺動部材（検出部）と前記ローラーユニットの双方が着脱可能となるので、部品点数の増加と装置のコストアップを抑制することができる。
【００１３】
本発明の第４の態様は、第３の態様において、前記開閉体を開いた状態において前記揺動部材は、前記ローラーユニットの着脱方向から外れた領域に位置することを特徴とする。
【００１４】
本態様によれば、前記開閉体を開いた状態において前記揺動部材は、前記ローラーユニットの着脱方向から外れた領域に位置するので、前記ローラーユニットを着脱する際に前記揺動部材が邪魔にならず、前記ローラーユニットをより一層容易に交換することができる。
【００１５】
本発明の第５の態様は、第１から第４の態様のいずれかにおいて、前記第２ユニットは、前記第１ユニットの上部に位置するとともに前記第１ユニットに対して回動可能に設けられ、回動することにより前記開状態と前記閉状態とを切り換えることを特徴とする。
【００１６】
本態様によれば、前記第２ユニットは、前記第１ユニットの上部に位置するとともに前記第１ユニットに対して回動可能に設けられ、回動することにより前記開状態と前記閉状態とを切り換えるので、前記第２ユニットの状態切り換えを容易に行うことができる。
【００１７】
本発明の第６の態様に係る画像読取装置は、媒体の面を読み取る読み取り手段と、媒体を搬送する、第１から第５の態様のいずれかに係る媒体搬送装置と、を備えたことを特徴とする。  
本態様によれば、画像読取装置において、上述した第１から第５の態様のいずれかと同様な作用効果を得ることができる。
【図面の簡単な説明】
【００１８】
【図１】本発明に係る原稿搬送装置及びスキャナーの外観斜視図。
【図２】本発明に係る原稿搬送装置及びスキャナーの外観斜視図。
【図３】本発明に係る原稿搬送装置及びスキャナーの側断面図。
【図４】本発明に係る原稿搬送装置の要部側断面図。
【図５】本発明に係る原稿搬送装置の要部側断面図。
【図６】本発明に係る原稿搬送装置の上部ユニットを開いた状態を示す斜視図。
【図７】原稿搬送経路側から見た上部ユニットの斜視図（カバー閉）。
【図８】原稿搬送経路側から見た上部ユニットの斜視図（カバー開）。
【図９】原稿搬送経路側から見た上部ユニットの斜視図（カバー開）。
【図１０】揺動部材の斜視図。
【図１１】カバーの一部を内側から見た斜視図。
【図１２】原稿搬送経路側から見た上部ユニットの斜視図（カバー開）。
【図１３】カバー及び給送ローラーユニットの斜視図。
【発明を実施するための形態】
【００１９】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２０】
図１及び図２は本発明に係る原稿搬送装置１０及びスキャナー１の外観斜視図、図３は原稿搬送装置１０及びスキャナー１の側断面図、図４及び図５は原稿搬送装置１０の要部側断面図、図６は上部ユニット１０Ｂを開いた状態を示す斜視図である。  
また、図７、図８、図９は原稿搬送経路側から見た上部ユニット１０Ｂの斜視図であり、図７はカバー４２の閉状態、図８及び図９はカバー４２の開状態を示している。
【００２１】
更に、図１０は揺動部材４５の斜視図、図１１はカバー４２の一部を内側から見た斜視図、図１２は原稿搬送経路側から見た上部ユニット１０Ｂの斜視図（カバー４２開状態）、図１３はカバー４２および給送ローラーユニット１８の斜視図である。
【００２２】
以下、スキャナー１の構成を概説する。図１〜図３において、画像読取装置としてのスキャナー１は、スキャナー本体２の上部に、本発明に係る媒体搬送装置の一例である原稿搬送装置（ＡＤＦ（Auto Document Feeder））１０を備えている。原稿搬送装置１０は媒体の一例としての原稿を複数枚セット可能であるとともに、スキャナー本体２における読み取り位置に向けてセットされた原稿を１枚ずつ給送する。図３において符号Ｄはセットされた原稿を示している。  
スキャナー本体２は、原稿搬送装置１０により搬送された原稿を読み取る。
【００２３】
符号１１は、媒体載置部の一例である給送トレイを示している。原稿Ｄは、給送トレイ１１上に載置される。給送トレイ１１には、セットされた原稿Ｄの両サイドをガイドするエッジガイド１３Ａ、１３Ｂが設けられている。エッジガイド１３Ａ、１３Ｂは、原稿の幅方向（給送方向と直交する方向）に変位可能に設けられ、また、図示を省略するラックピニオン機構によって、互いに近接する方向に、或いは互いに離間する方向へと変位する様に設けられている。  
符号３１は、読み取りが完了して排出される原稿Ｄを受ける排出トレイである。
【００２４】
原稿搬送装置１０は、不図示のヒンジを介してスキャナー本体２に対して回動可能に連結されている。  
原稿搬送装置１０においてスキャナー本体２と対向する側には原稿マット９が設けられており、スキャナー本体２における原稿台ガラス３に載置された原稿は、原稿搬送装置１０が閉じられると、原稿マット９により押圧され、その被読み取り面が原稿台ガラス３に密着する。
【００２５】
スキャナー本体２の上面は、原稿台ガラス３、４が設けられている。原稿台ガラス３は、原稿搬送装置１０を用いない読み取りを行う場合に原稿を載置する原稿載置面を形成する。原稿台ガラス４は、原稿搬送装置１０により読み取り位置に搬送された原稿を支持する。
【００２６】
本実施形態においてスキャナー１は一例としてフラットベッド型のスキャナーであり、図３に示す様に原稿台ガラス３、４に対して移動可能な読み取り部５Ａが、原稿台ガラス３、４の下側に設けられている。  
原稿読み取り手段としての読み取り部５Ａは、原稿台ガラス３、４に向けて光を照射し、またその反射光を受光して原稿の情報を読み取る光学ユニットとして構成され、例えばＣＣＤ（Charge Coupled Devices）方式或いはＣＩＳ（Contact
Image Sensor)方式の光学ユニットとして構成される。
【００２７】
読み取り部５Ａは主走査方向（図３において紙面表裏方向）に延設されるとともに、副走査方向（図３において左右方向）に移動可能なキャリッジ６に設けられている。キャリッジ６は、副走査方向に延設されたガイド部材７によりガイドされながら、不図示のモーターの動力を受けて、副走査方向に移動する。  
尚、原稿台ガラス３に載置された原稿を読み取る場合、読み取り部５Ａは副走査方向に移動しながら読み取りを行う。一方、原稿搬送装置１０により搬送される原稿を読み取る場合、読み取り部５Ａは原稿台ガラス４の下側に停止し（図３の状態）、その停止状態を維持する。
【００２８】
続いて、図３及び適宜その他の図をも参照しつつ原稿搬送装置１０における原稿搬送経路を説明する。尚、図３において符号ｅで示す破線は、原稿搬送装置１０内を搬送される原稿Ｄの通過軌跡を示している。  
複数枚の原稿Ｄをセット可能な給送トレイ１１は、不図示のリンク機構及びモーターにより構成される昇降機構によって、最上位の原稿Ｄが給送ローラー１９に当接する姿勢（上昇姿勢）と、給送ローラー１９から待避する姿勢（下降姿勢）と、を切り換え可能となっている。
【００２９】
符号１６は原稿先端を規制する先端規制面を示しており、この先端規制面１６によってセットされた原稿Ｄの先端位置が規制される。  
給送トレイ１１の先端（送り出し方向先端）の上方に設けられた給送ローラー１９は、図示を省略するモーターによって駆動される。給送ローラー１９は、外周面が高摩擦材（ゴム）により形成されている。
【００３０】
給送ローラー１９は上下方向に変位可能に設けられており、給送トレイ１１の下降姿勢では下降しており（実線）、給送トレイ１１が上昇すると、原稿Ｄによって符号１９’および２点鎖線で示すように押し上げられる。  
そして給送トレイ１１、給送ローラー１９がともに上昇した状態で給送ローラー１９が回転駆動されることにより、最上位の原稿Ｄが送り出される。
【００３１】
給送ローラー１９の下流側には、図示を省略するモーターによって正転方向に駆動される分離ローラー２４と、この分離ローラー２４との間で原稿をニップするリタードローラー２３とが対向配置されている。分離ローラー２４及びリタードローラー２３は、ともに外周面が高摩擦材（例えば、ゴム）により形成されている。
【００３２】
リタードローラー２３は所定の回転抵抗が付与されるとともに、従動回転可能に設けられている。そして給送ローラー１９から送り出された最上位の原稿Ｄが、分離ローラー２４とリタードローラー２３とによってニップされた状態で搬送され、また、次位以降の原稿Ｄの重送が防止される。
【００３３】
分離ローラー２４及びリタードローラー２３より下流側の原稿搬送経路には、搬送ローラー対２５、２６、２７、２８、２９が設けられており、これら複数の搬送ローラー対によって原稿Ｄは搬送経路を搬送される。特に、搬送ローラー対２５から搬送ローラー対２７に向かう原稿搬送経路は、原稿Ｄを湾曲反転させる湾曲反転経路となっている。  
符号３０は排出ローラー対であり、この排出ローラー対３０によって、読み取りの行われた原稿Ｄが排出トレイ３１へと排出される。  
上記搬送ローラー対２５〜２９及び排出ローラー対３０は、少なくとも一方側のローラーが不図示のモーターにより回転駆動され、他方側のローラーが従動回転する。
【００３４】
搬送ローラー対２７と搬送ローラー対２８の間では、原稿Ｄは原稿台ガラス４の上面に到達する。この位置では読み取り部５が停止しており、原稿Ｄの搬送動作を利用して、読み取り部５によるスキャニングが行われる。
【００３５】
また、原稿Ｄの両面を読み取る為、搬送ローラー対２８の下流には更に読み取り部５Ｂが設けられている。この読み取り部５Ｂは、原稿に向けて光を照射し、またその反射光を受光して原稿の情報を読み取る光学ユニットとして構成される点で上述した読み取り部５Ａと同様であるが、読み取り部５Ａとは異なり固定的に設けられ、原稿搬送装置１０を利用して搬送される原稿Ｄのみを読み取る。
【００３６】
尚、図３において符号３２で示す記号（三角形）は、給送トレイ１１上の原稿の有無を検知する為の原稿センサーである。また、図３において符号３３、３４、３５、３６、３７で示す記号（三角形）は、原稿の通過を検出する為の原稿センサーである。原稿センサー３３〜３７は接触式センサー或いは光学式センサーで構成することができる。スキャナー１の制御部（不図示）は、これらセンサー３２〜３７によって、適切な原稿搬送制御を行うことができる。尚、以下では原稿センサー３３の構成について詳説する。
【００３７】
以上が原稿搬送装置１０の大略構成であり、続いて原稿搬送経路の構成について更に説明する。  
原稿搬送装置１０は、原稿Ｄを搬送する搬送路を構成する第１ユニットとしての下部ユニット１０Ａと、下部ユニット１０Ａとの間で原稿搬送路を形成する閉状態（図１）と原稿搬送路を露呈させる開状態（図６）とを切り換え可能な第２ユニットとしての上部ユニット１０Ｂと、を備えている。  
上部ユニット１０Ｂは、回動軸（不図示）を中心に回動することにより、上記閉状態と開状態とを切り換える。図１において符号４０は、上部ユニット１０の閉状態を維持するロック機構（不図示）のロックを解除する為のレバーである。
【００３８】
上部ユニット１０Ｂを開くと、図６に示す様に搬送ローラー対２５を構成するローラー２５ａが相手側のローラー２５ｂから離間し、搬送ローラー対２６を構成するローラー２６ａが相手側のローラー２６ｂから離間する。以上により、上部ユニット１０Ｂを開くことで、原稿搬送路においてジャムが生じた際に原稿を取り除くことができる。尚、図６において符号４８は、下部ユニット１０Ａが備える下側案内部材（原稿案内部材）であり、符号４１は、上部ユニット１０Ｂが備える上側原稿案内部材（原稿案内部材）である。上部ユニット１０Ｂを閉じると、下側案内部材４８と上側案内部材４１とが対向し、両部材の間に原稿搬送路が形成される。
【００３９】
図４、図５、図７〜図９、図１２において給送ローラー１９は、支持部材２１により支持される。支持部材２１は、回転軸２０を中心にして揺動可能に設けられ、その揺動により、給送ローラー１９が昇降する。回転軸２０は不図示のモーターにより回転駆動される軸であり、回転軸２０から給送ローラー１９へは、支持部材２１に設けられた不図示の歯車群によって動力が伝達される。回転軸２０には、分離ローラー２４も設けられ、給送ローラー１９とともに回転駆動される。
【００４０】
図８、図９、図１２、図１３において支持部材２１には、舌片状の被検出部２１ａが設けられている。また、被検出部２１ａの近傍には図１３に示す様に給送ローラーセンサー３９が設けられている。給送ローラーセンサー３９は光学センサーであり、支持部材２１に形成された被検出部２１ａが、給送ローラーセンサー３９の光軸を遮る様に設けられている。即ち、給送トレイ１１が下降し、給送ローラー１９及び支持部材２１も下降している状態では、被検出部２１ａは給送ローラーセンサー３９の光軸を遮らない。
【００４１】
逆に給送トレイ１１が上昇し、給送ローラー１９及び支持部材２１も上昇すると、被検出部２１ａが給送ローラーセンサー３９の光軸を遮る。これによりスキャナー１の制御部（不図示）は、給送ローラー１９が上昇位置にあることを検知できる。従ってその検知により、給送ローラー１９の駆動を開始でき、即ち原稿Ｄの給送を開始できる。
【００４２】
続いて、分離ローラー２４の下流側近傍に設けられた原稿センサー３３について説明する。原稿センサー３３は光学センサーであり、「検出部」としての揺動部材４５に設けられた被検出部４５ｃが、原稿センサー３３の光軸を遮る様に設けられている。  
揺動部材４５には突出部４５ｂが形成されており、当該突出部４５ｂが原稿搬送路を遮る様に設けられている。
【００４３】
原稿が搬送されていない状態では、図４に示す様に被検出部４５ｃが原稿センサー３３の光軸を遮る位置にある。そして搬送される原稿によって突出部４５ｂが図４から図５への変化に示す様に押し上げられることに伴い揺動部材４５が揺動すると、被検出部４５ｃが原稿センサー３３の光軸から外れる。これによりスキャナー１の制御部（不図示）は、原稿の通過を検知することができる。  
尚、揺動部材４５は、ばね４６（図１２、図１３）によって突出部４５ｂが原稿搬送路を遮る揺動方向（図４及び図５において時計回り方向）に付勢された状態に設けられている。
【００４４】
以上説明した給送ローラーユニット１８と揺動部材４５は、上側案内部材４１に形成された凹部４１ａ（図８、図９）に配置される。  
図７〜図８において、符号４２は凹部４１ａを開閉するカバーである。カバー４２は突起４２ｈ、４２ｈ（図１３）を回動中心にして回動可能となる様に上側案内部材４１に設けられる。
【００４５】
カバー４２が閉じた状態では、図７に示す様に当該カバー４２が上側案内部材４１とともに原稿搬送経路を形成する。  
尚、図８において符号４２ｇは、上側案内部材４１に形成された係止部４１ｃに係止するフック部を示しており、フック部４２ｇが係止部４１ｃに係止することで、カバー４２が閉状態に保持される。
【００４６】
カバー４２には図７に示す様に第２開口４２ｂが形成されており、当該第２開口４２ｂから、揺動部材４５の突出部４５ｂが原稿搬送経路に突出する。  
またカバー４２には第１開口４２ａが形成されており、当該第１開口４２ａから、給送ローラーユニット１８（給送ローラー１９及び分離ローラー２４）が原稿搬送経路に露呈する。
【００４７】
本実施形態において凹部４１ａに配置される給送ローラーユニット１８は、上側案内部材４１に設けられ、同様に凹部４１ａに配置される揺動部材４５は、カバー４２に設けられる。以下、この点について更に詳説する。  
給送ローラーユニット１８は、上述したように不図示のモーターにより回転駆動される回転軸２０に対して装着され、回転軸２０から給送ローラー１９及び分離ローラー２４へと動力が伝達される。
【００４８】
給送ローラーユニット１８は、回転軸２０に対して着脱可能に構成されており、例えば給送ローラー１９或いは分離ローラー２４が劣化した場合、ユーザーが図８に示す様にカバー４２を開放し、そして給送ローラーユニット１８を図８の矢印Ｆ方向に引き抜くことで、図９に示す様に給送ローラーユニット１８を取り外すことができる。  
このとき、カバー４２に設けられている揺動部材４５は、給送ローラーユニット１８の着脱方向から外れた領域に位置している。  
従って給送ローラーユニット１８を着脱する際に揺動部材４５が邪魔にならず、給送ローラーユニット１８をより一層容易に交換することができる。
【００４９】
次に、揺動部材４５は図１０に示す様に軸部４５ａに対し上述した突出部４５ｂ、被検出部４５ｃを備え、更に被規制部４５ｄを備えている。被規制部４５ｄは、カバー４２に設けられた揺動規制部４３（図４、図５、図８、図９）に当接することで、原稿と接触していない状態の揺動部材４５の姿勢を規制する（図４）。
【００５０】
軸部４５ａの一方側端部には凸部４５ｆが形成され、他方側端部には凹部４５ｅが形成されている。一方、カバー４２には図１１に示すように取付部４２ｃ、４２ｄが形成されており、取付部４２ｃには突起４２ｅが、取付部４２ｄには孔４２ｆが、それぞれ形成されている。取付部４２ｃ、４２ｄは弾性変形可能に形成されており、取付部４２ｃ、４２ｄを押し拡げることで、突起４２ｅに揺動部材４５の凹部４５ｅを、孔４２ｆに揺動部材４５の凸部４５ｆを、それぞれ嵌合させることができる様になっている。また逆に、取付部４２ｃ、４２ｄを押し拡げることで、取り付けられている揺動部材４５を取り外すことができる。即ち給送ローラーユニット１８に加え、揺動部材４５も着脱可能となっている。
【００５１】
尚、揺動部材４５の凹部４５ｅ側には、図１２に示す様にばね４６が設けられ、揺動部材４５がカバー４２に取り付けられた状態において、ばね４６が揺動部材４５を付勢する。
【００５２】
以上説明した本実施形態に係る原稿搬送装置１０の特徴を纏めると、以下の通りとなる。即ち原稿搬送装置１０は、媒体の一例としての原稿を搬送する原稿搬送路を構成する下側ユニット１０Ａと、当該下側ユニット１０Ａとの間で原稿搬送路を形成する閉状態と原稿搬送路を露呈させる開状態とを切り換え可能な上側ユニット１０Ｂとを備えている。上側ユニット１０Ｂは、閉状態において下側ユニット１０Ａと対向するとともに原稿搬送路を形成する、開閉可能な開閉体としてのカバー４２と、原稿搬送路において原稿を検出する、カバー４２を開くことにより着脱可能となる検出部としての揺動部材４５を備えている。
【００５３】
即ち揺動部材４５は、上側ユニット１０Ｂにおいて原稿搬送路を形成するカバー４２を開くことにより着脱可能となる為、揺動部材４５の着脱に際し、原稿搬送路側からアクセスすることができる。その上、カバー４２を開くことにより揺動部材４５にアクセスすることができる為、作業性容易に揺動部材４５にアクセスすることができ、揺動部材４５のメンテナンス性を向上させることができる。
【００５４】
また、原稿搬送路において原稿を検出する「検出部」は、カバー４２の内側から外側に突出する突出部４５ｂを備えるとともに突出部４５ｂが原稿と接して揺動する揺動部材４５で構成され、揺動部材４５は、カバー４２に対して揺動可能に設けられている。従ってカバー４２を開くことにより、揺動部材４５が容易に露呈する。従ってより一層容易に揺動部材４５にアクセスすることができ、揺動部材４５のメンテナンス性を向上させることができる。
【００５５】
また、第２ユニットとしての上部ユニット１０Ｂは、原稿に送り力を付与する送りローラーとしての給送ローラー１９、及び給送ローラー１９を支持する支持部材２１を備えて成る給送ローラーユニット１８を備え、給送ローラー１９は、カバー４２に形成された第１開口４２ａを介して原稿搬送路に露出し、給送ローラーユニット１８は、カバー４２を開くことにより着脱可能となる。
【００５６】
従って、揺動部材４５に加えて、給送ローラーユニット１８をも容易に交換することができる。また、カバー４２を開くことによって揺動部材４５と給送ローラーユニット１８との双方が着脱可能となるので、部品点数の増加と装置のコストアップを抑制することができる。
【００５７】
また、カバー４２を開いた状態において揺動部材４５は、給送ローラーユニット１８の着脱方向から外れた領域に位置するので、給送ローラーユニット１８を着脱する際に揺動部材４５が邪魔にならず、給送ローラーユニット１８をより一層容易に交換することができる。
【００５８】
また、上部ユニット１０Ｂは、下部ユニット１０Ａの上部に位置するとともに下部ユニット１０Ａに対して回動可能に設けられ、回動することにより開状態と閉状態とを切り換える。従って上部ユニット１０Ｂの状態切り換えを容易に行うことができる。
【００５９】
尚、上述した実施形態では、原稿搬送装置１０は、原稿と接触して揺動する揺動部材４５の揺動を原稿センサー３３が検出する構成であり、即ち原稿と接触して原稿の通過を検出する接触式のセンサーであるが、非接触式のセンサーであっても構わない。  
また、上述した実施形態では、一のカバー４２の内側に揺動部材４５と給送ローラーユニット１８を配置する構成であるが、揺動部材４５用のカバーと給送ローラーユニット１８用のカバーとを分けて構成しても良い。  
また、上述した実施形態では、揺動部材４５をカバー４２に取り付けたが、給送ローラーユニット１８と同様に上側案内部材４１に対して取り付けても良い。  
更に、上述した実施形態では、開閉体としてのカバー４２は上側案内部材４１に対して回動可能に設けたが、取り外し可能に（着脱可能に）設けても良い。
【符号の説明】
【００６０】
１  スキャナ、２  スキャナ本体、３  原稿台ガラス、４  原稿台ガラス、５Ａ、５Ｂ  読み取り部、６  キャリッジ、７  ガイド部材、９  原稿マット、１０  原稿搬送装置、１０Ａ  下部ユニット、１０Ｂ  上部ユニット、１１  給送トレイ、１１ａ  原稿支持面、１３Ａ、１３Ｂ  エッジガイド、１６  先端規制面、１８  給送ローラーユニット、１９  給送ローラー、２０  回転軸、２１  支持部材、２１ａ  被検出部、２３  リタードローラー、２４  分離ローラー、２５  搬送ローラー対、２５ａ、２５ｂ  ローラー、２６  搬送ローラー対、２６ａ、２６ｂ  ローラー、２７〜２９  搬送ローラー対、３０  排出ローラー対、３１  排出トレイ、３２〜３７  原稿センサー、３９  給送ローラーセンサー、４０  レバー、４１  上側案内部材、４１ａ  凹部、４１ｃ  係止部、４２  カバー、４２ａ  第１開口、４２ｂ  第２開口、４２ｃ、４２ｄ  取付部、４２ｅ  突起、４２ｆ  軸孔、４２ｇ  フック部、４２ｈ  突起、４３  揺動規制部、４５  揺動部材、４５ａ  軸部、４５ｂ  突出部、４５ｃ  被検出部、４５ｄ  被規制部、４５ｅ  凹部、４５ｆ  凸部、４６  ばね、４８  下側案内部材、Ｄ  原稿、ｅ  原稿通過軌跡
【図１】
2016164595.tif 000003
【図２】
2016164595.tif 000004
【図３】
2016164595.tif 000005
【図４】
2016164595.tif 000006
【図５】
2016164595.tif 000007
【図６】
2016164595.tif 000008
【図７】
2016164595.tif 000009
【図８】
2016164595.tif 000010
【図９】
2016164595.tif 000011
【図１０】
2016164595.tif 000012
【図１１】
2016164595.tif 000013
【図１２】
2016164595.tif 000014
【図１３】
2016164595.tif 000015